(57)【要約】【課題】  成形安定性が良く、耐圧性を有するクッション層であっても、使用者の足、又は脚に良好に密着できるブーツ又はインナーブーツを提供する。【解決手段】  この種のブーツ、又はインナーブーツは、典型的には半硬質でシェル状に成形された外側部材１と、使用者の足、又は脚に内側が当接可能なクッション層４とから成る。この発明によると、このクッション層４は網状に配置される溝３により分割され、比較的硬質のクッション部材でも、ブーツ、又はインナーブーツの曲げ特性は外側部材により十分に決定される。
2006504459.tif 000002
【特許請求の範囲】
【請求項１】
半硬質および／またはシェル状に成形された外側部材（１）と、外側部材（１）の内側に配置されるクッション層（４）とを備え、外側部材（１）から遠方の内側は、使用者の足（５）または脚（６）に密着または密着しなければならないブーツまたはインナーブーツにおいて、クッション層（４）は溝（３）によって分割されてクッション分割部（４０）が形成され、該クッション分割部（４０）は、足（５）または脚（６）に密着することを特徴とするブーツまたはインナーブーツ。
【請求項２】
溝（３）は、ほぼ、外側部材（１）までクッション層（４）を貫通することを特徴とする請求項１に記載のブーツまたはインナーブーツ。
【請求項３】
溝（３）は、その幅を越える深さを有することを特徴とする請求項１または請求項２に記載のブーツまたはインナーブーツ。
【請求項４】
溝（３）は、ブーツまたはインナーブーツが本質的に外側部材（１）により決定される曲げ特性を有するように深く構成されることを特徴とする請求項１乃至請求項３のうちの何れか１項に記載のブーツまたはインナーブーツ。
【請求項５】
溝（３）は、クッション分割部（４０）が、ブーツの使用中に生じる外側部材（１）の湾曲の場合に、足外側または脚外側と平行な方向で剪断応力および／または引張応力から十分に開放されるように深く構成されることを特徴とする請求項１乃至請求項４のうちの何れか１項に記載のブーツまたはインナーブーツ。
【請求項６】
クッション分割部（４０）は、溝（３）により４倍大きい表面積を有することを特徴とする請求項１乃至請求項５のうちの何れか１項に記載のブーツまたはインナーブーツ。
【請求項７】
クッション分割部（４０）は、本質的に非圧縮性材料から成ることを特徴とする請求項１乃至請求項６のうちの何れか１項に記載のブーツまたはインナーブーツ。
【請求項８】
クッション分割部（４０）は、剪断応力に対して弱い材料から成ることを特徴とする請求項１乃至請求項７のうちの何れか１項に記載のブーツまたはインナーブーツ。
【請求項９】
溝（３）は網状に形成されることを特徴とする請求項１乃至請求項８のうちの何れか１項に記載のブーツまたはインナーブーツ。
【請求項１０】
足（５）の足の甲を介した配置および／または脚（６）の下範囲の前での配置を特徴とする請求項１乃至請求項９のうちの何れか１項に記載のブーツまたはインナーブーツ。
【発明の詳細な説明】
【技術分野】
【０００１】
この発明は、特に、半硬質および／またはシェル状に成形された外側部材と、外側部材の内側に配置されるクッション層とを備えたブーツまたはインナーブーツに関するものである。
【背景技術】
【０００２】
この種のブーツまたはインナーブーツは、特許文献１から周知である。この刊行物によると、外側部材の内側には、網状に配置されるリブで形成される凸状体と、鉢状の窪みにより形成される凹状体とが設けられ、この凹状体は前記の網状に配置されるリブにより相互に分割される。
【特許文献１】欧州特許第６４６３３５号公報
【０００３】
クッション層の外側部材に向けられる側は前記凸状体に当たり、それによって、隙間の形成されている範囲で外側部材から離間されることにより、クッション性が確保される。
【０００４】
このようにして、外側部材と垂直な圧力作用に対するクッション層の柔軟性を改良しなければならない。そのような圧力作用の場合、クッション層は凹状体内へ多かれ少なかれ広範囲に沈下することになる。外側部材を曲げ変形させる場合、クッション層内では外側部材からの間隔が増加するにつれて、剪断応力または引張応力が増加する。
【０００５】
特許文献２から周知であるブーツまたはインナーブーツでは、シェル状の外側部材の内側で第１クッション層が配置され、外側部材と、そのクッション層とから形成される二重層は、層平面を横切る網目状に配置される開口により貫通される。
【特許文献２】欧州特許第０８００７７７号公報
【０００６】
第１クッション層の内側には、別の蒸気透過性の第２クッション層が配置されている。第２クッション層の内側には、厚い溝層が配置されて空気室が形成されている。この空気室が、第２クッション層と、外側部材および第１クッション層を貫通する前記開口を介して外側部材の外気と連絡することにより、クッション性を確保している。
【０００７】
ブーツまたはインナーブーツを曲げ変形させる場合、クッション層の内部では、凹状体の深さに比較して厚さの大きいクッション層により、高い引張応力または剪断応力が生じる。さらに、前記溝層にも、ブーツを曲げ変形させる場合に強力な引張荷重が加わる。
【０００８】
販売されているスポーツブーツやスノーボードブーツでは、通常、外側部材の内側に大きい平面の刻み目のないクッション層があり、少なくとも、クッション層がブーツの使用の際に層平面と垂直の望ましい圧縮強さ持つ時に、クッション層は、外側部材の曲げ変形に対して、明らかな補強をもたらす。
【発明の開示】
【発明が解決しようとする課題】
【０００９】
前記の全てのブーツまたはインナーブーツは、使用者の足または脚に密着するだけである。例えば、クッション層を弱く曲げ易いもので構成した場合には、シェル形状の外側部材によって、使用者の足または脚において、不快な圧力を考慮しなければならない。このため、クッション層を弱く曲げ易いもので構成することができない。又、外側部材で形成される半硬質シェル部分は、望ましい支持力を持たなければならないので、外側部材も任意の可撓性で曲げ易いもので構成することはできない。
【００１０】
この発明の課題は、成形安定性が良く、使用者の足または脚に良好に密着でき、比較的に耐圧性を有するクッション層であっても、使用者の足または脚に良好に密着できるブーツまたはインナーブーツを提供することである。
【課題を解決するための手段】
【００１１】
この課題は、この発明によると、最初に述べた種類のブーツまたはインナーブーツにおいて、クッション層が、溝により分割されてクッション分割部が形成され、該クッション分割部が足または脚に大表面で当たることにより解決される。
【００１２】
この発明は、従来の通常の大表面の平面クッション層を、相互に分離される比較的に小さい部分のクッション分割部により置き換え、シェル状に成形される外側部材の曲げ特性へのクッション層の影響を少なくすることにより、ブーツまたはインナーブーツの曲げ特性は本質的に外側部材により決定でき、クッション層は本質的に最適な圧縮強度の視点だけで選択できる一般的な思想に基づいている。
【００１３】
クッション層の表面は、溝によってクッション分割部に分割されている。このため、ブーツまたはインナーブーツを湾曲させる場合に、クッション層には、外側部材と平行な剪断応力または引張応力は発生し難い。従って、クッションの厚さの選択において大きい自由度がある。
【００１４】
ブーツまたはインナーブーツの高度な快適さを考慮すると、溝がほぼ外側部材までクッションを貫通すれば都合がよい。
【００１５】
ブーツまたはインナーブーツは、特に、本質的に外側部材で決定される曲げ特性だけを有するように溝が深く構成され、および／または、網状に形成されなくてはならない。
【００１６】
足または脚にクッションの大表面の被覆を補償するために、溝が、その深さに対して縮小幅を有すると都合がよい。
【００１７】
全体として、クッション分割部の表面積は、溝の表面積の４倍である。
【００１８】
使用者の足または脚において、この発明によるブーツまたはインナーブーツの良好な密着可能性に基づき、クッション分割部は本質的に非圧縮性で、剪断応力に対して弱い材料から構成できる。
【００１９】
ここでは、クッション層の柔軟性は、本質的にクッション層の平面と平行な方向、すなわち、溝により形成される自由空間での弾性緊張を受けて層平面と垂直の圧縮作用に際してクッション部材が内部へ押し戻されることにより達成される。
【００２０】
その他の点で、この発明の有利な特徴に関しては請求の範囲並びに次の詳細な説明で開示されており、発明の有利な実施例に基づいて詳細に説明されている。その際、保護は、明確に説明された特徴部分の組合せに対してのみならず、また、開示された特徴部分の従属の組合せに対しても請求される。
【００２１】
図１は、曲げ成形の場合の相違を説明するための従来のブーツと、この発明によるブーツの概要断面図を示す。図２は、インナーブーツの概要断面図を示す。図３は、ブーツの舌部分の内側の平面図を示す。図４は、インナーブーツの断面を示す。図５は、インナーブーツの製造方法を示す。
【発明を実施するための最良の形態】
【００２２】
図１の図Ａによると、従来のブーツは半硬質でシェル状に形成される外側部材１を持ち、ブーツ使用用者の足や脚に向けられる外側部材の内側には、連続したクッション層２が配置される。
【００２３】
ブーツは、図Ａで図示される最初の形状に対して図Ｂによると、湾曲が増加して曲げられると、クッション層２の部材が矢印Ｐに応じて必然的に圧縮されるので、クッション層２内に明らかな剪断応力が生じる。
【００２４】
ブーツは図１のＣに対応して湾曲の減少を受けて曲げられると、クッション層２内で２重矢印Ｒにより明確に示される引張力を生じる。
【００２５】
その際、剪断力および引張力は、クッション層２の部材が硬質であればあるほど、ますます大きくなる。
【００２６】
図Ｄによると、この発明では、網状に配置される溝３により分割されたクッション層４が設けられ、溝３により相互に分割されるクッション分割部は、溝３の表面膨張に比較して大きい平面の正形状体を形成する。今、図Ｄのブーツが図Ｅ、図Ｆにより湾曲の増加または減少を受けて曲げられると、クッション層４内では、それ程の剪断応力や引張応力を生じることはない。なぜならば、この種の力を溝３の範囲で伝達できないからである。
【００２７】
それで、結果として、クッション層４は、ブーツのこの曲げ特性に基づいて比較的にわずかな影響を受け、つまり、クッション層４の部材が比較的に硬質であっても比較的にわずかな影響を受ける。
【００２８】
つまり、この発明によるブーツでは、曲げ特性は本質的に部材と外側部材１の層厚によってのみ決定される。クッション層４の部材はブーツの履き易さを考慮した最適な圧縮強度の視点だけで選択でき、クッション層４の厚さに関しても大きい自由度が与えられる。クッション層４の十分に編み目の詰まったクッション分割部４０では、クッション層４は外側部材１を実際には補強できないからである。
【００２９】
図２はブーツの概要の断面図を示す。内側のクッション４のクッション分割部４０に基づいて、ブーツの外に配置され、図示しないベルトまたはバックル等により、ブーツ内側が足５または足に続く脚６の部分に密着し、詳細には、足５または脚６の一方の区域での増加する密着が、他方の区域での増加する圧縮負荷を引き起こさないことを達成できる。
【００３０】
図３はブーツの舌部分７の内側平面図を示す。溝３は網状の仕方で配置され、それに応じて、クッション分割部４０は異なる輪郭で限定されることが明瞭に分かる。足関節の近くの範囲で舌部分７は比較的に小さい平面のクッション分割部４０を備え、他方、クッション分割部４０は脛の下方部分の範囲で大きい平面に構成される。
【００３１】
それで、ブーツの使用において、足上側（足の甲）と脛の下範囲との間の範囲で比較的に明確に現れ、足運動と脚運動に応じて交互の曲げ変形が生じ、他方、脛では足および／または脚の激しい運動の場合に比較的に釣り合う曲げ状態となるという事実が考慮される。
【００３２】
クッション層４の内側は、例えば、膨張可能な繊維布地から成る裏地（図示せず）で被覆でき、この裏地は溝３にも配置される。
【００３３】
図４は、この発明によるブーツの断面斜視部分平面図を示す。外側部材１は、場合により装飾して構成でき、または、無地にできる表面層１１と、半硬質シェル部分を形成できる硬質部材層１２とから成る。クッション層４は厚い発泡層４１と、ブーツの内側で発泡層を被覆するライナー４２とから成る。このライナー４２は発泡層４１に付着する膨張可能な繊維材料から成る。ブーツ内側では、発泡層４１と、発泡層と結合されるライナー４２内に深い溝３が構成され、溝３の深さは図示の例では発泡層４１の半分の厚さより大きい。
【００３４】
図５は、型下部分５１と型上部分５２とから成る２つの部分から成る型によるクッション層４の成形を実例で示す。
【００３５】
実質的に平坦な板形状の型下部分５１上に発泡層４１が横たわり、発泡層４１は型下部分５１から離れた側でライナー４２により被覆される。
【００３６】
型上部分５２は、型下部分５１に向く面において、上側に凹んだ形状に形成される。
【００３７】
第１の製造変更によると、少なくとも型上部分５２は加熱され、特に、型下部分５１も加熱される。今、型上部分５２が矢印Sに応じて型下部分５１へ押し下げられると、発泡層４１はライナー４２と共に型上部分５２の輪郭に応じて変形される。
【００３８】
製造方法の変更によると発泡層４１が加熱され、他方、型部分５１、５２は加熱されない。この場合、発泡層４１はライナー４２と共に型上部分５２の輪郭に応じて変形でき、型上部分５２は型下部分５１上へ押し下げられる。
【図面の簡単な説明】
【００３９】
【図１】図１は、曲げ成形の場合の相違を説明するための従来のブーツと、この発明によるブーツの概要断面図を示す。
【図２】図２は、インナーブーツの概要断面図を示す。
【図３】図３は、ブーツの舌部分の内側の平面図を示す。
【図４】図４は、インナーブーツの断面を示す。
【図５】図５は、インナーブーツの製造方法を示す。
【符号の説明】
【００４０】
１  外側部材
３  溝
４  クッション層
５  足
６  脚
４０  クッション分割部
【図１】
2006504459.tif 000003
【図２】
2006504459.tif 000004
【図３】
2006504459.tif 000005
【図４】
2006504459.tif 000006
【図５】
2006504459.tif 000007
【国際調査報告】
2006504459.tif 000008
2006504459.tif 000009
2006504459.tif 000010
2006504459.tif 000011
2006504459.tif 000012
2006504459.tif 000013